(57)【要約】【課題】各ショーケースごとの運転モードの切替えを容易に行うことができ、加熱運転モードに切替えた場合でも異常温度の警報手段が誤動作を生ずることのないショーケースの集中制御装置を提供する。【解決手段】各冷温ショーケース１のモードスイッチ１０を操作すると、切替後の運転モード信号を集中制御部５に出力するとともに、集中制御部５から運転モードに応じた所定の庫内設定温度の信号を出力し、この設定温度信号に基づいて冷温ショーケース１の庫内設定温度を変更することにより、冷温ショーケース１の運転モードが切替えられる。また、庫内温度が異常温度になったことを検知すると、運転モードが冷却運転モードに切替られているときのみ警報ランプ８を点灯させるようにしたので、加熱運転時の通常の庫内温度が冷却運転用の異常検知温度を超えても警報ランプ８が点灯することがない。【選択図】  図１
2004251565.tif 000002
【特許請求の範囲】
【請求項１】
庫内設定温度の異なる複数の運転モードに切替可能な複数のショーケースにそれぞれ設けられ、各運転モードの設定温度に基づいてショーケースの動作を制御する端末制御部と、各ショーケースの端末制御部と通信可能な集中制御部とを備えたショーケースの集中制御装置において、
前記各ショーケースにそれぞれ設けられ、ショーケースの運転モードを任意に切替可能なモードスイッチと、
各ショーケースにそれぞれ設けられ、ショーケースの運転モードがモードスイッチによって切替られると、切替後の運転モードの信号を集中制御部に出力する運転モード信号出力手段と、
集中制御部に設けられ、ショーケースから運転モード信号が出力されると、その運転モードに対して予め設定された設定温度の信号をショーケースに出力する設定温度信号出力手段と、
各ショーケースにそれぞれ設けられ、集中制御部から設定温度信号が出力されると、端末制御部の設定温度を集中制御部から出力された設定温度に変更する端末側設定温度変更手段とを備えた
ことを特徴とするショーケースの集中制御装置。
【請求項２】
前記集中制御部に設けられ、各ショーケースの設定温度を各ショーケースごとに任意に変更可能な設定温度変更手段と、
集中制御部に設けられ、設定温度変更手段によって任意のショーケースの設定温度が変更されると、変更後の設定温度の信号をそのショーケースに出力する設定温度信号出力手段と、
各ショーケースにそれぞれ設けられ、集中制御部から変更後の設定温度信号が出力されると、端末制御部の設定温度を集中制御部から出力された設定温度に変更する端末側設定温度変更手段とを備えた
ことを特徴とする請求項１記載のショーケースの集中制御装置。
【請求項３】
前記ショーケースの少なくとも一台を冷却運転の運転モードと加熱運転の運転モードに切替可能なショーケースによって構成するとともに、
ショーケースの庫内温度が所定の冷却運転用異常温度まで上昇したことを検知する異常温度検知手段と、
異常温度検知手段によって異常温度になったことが検知されると、モードスイッチが冷却運転モードに切替られているときのみ所定の異常警報手段を作動させる異常警報制御手段とを備えた
ことを特徴とする請求項１または２記載のショーケースの集中制御装置。
【請求項４】
前記ショーケースの少なくとも一台を冷却運転の運転モードと加熱運転の運転モードに切替可能なショーケースによって構成するとともに、
ショーケースの庫内温度が所定の異常温度まで上昇したことを検知する異常温度検知手段と、
集中制御部に設けられ、ショーケースから運転モード信号が出力されると、その運転モードごとに設定された異常検知温度の信号をショーケースに出力する異常検知温度信号出力手段と、
各ショーケースにそれぞれ設けられ、集中制御部から異常検知温度信号が出力されると、異常温度検知手段の異常検知温度を集中制御部から出力された異常検知温度に変更する異常検知温度変更手段と、
異常温度検知手段によって異常温度になったことが検知されると、所定の異常警報手段を作動させる異常警報制御手段とを備えた
ことを特徴とする請求項１または２記載のショーケースの集中制御装置。
【請求項５】
前記集中制御部に設けられ、各ショーケースの庫内温度及び設定温度をそれぞれ表示する温度表示手段を備えた
ことを特徴とする請求項１、２、３または４記載のショーケースの集中制御装置。
【発明の詳細な説明】
【０００１】
【発明の属する技術分野】
本発明は、複数台のショーケースを設置したコンビニエンスストア等の店舗に用いられるショーケースの集中制御装置に関するものである。
【０００２】
【従来の技術】
従来、この種のショーケースの集中制御装置としては、庫内設定温度の異なる複数の運転モードに切替可能な複数台のショーケースと、各ショーケースにそれぞれ設けられ、各運転モードの設定温度に基づいてショーケースの動作を制御する端末制御部と、各ショーケースの端末制御部との間で制御信号を送受信可能な集中制御部とを備えたものが知られている（例えば、特許文献１参照。）。
【０００３】
【特許文献１】
特開２００１−２５８６９１号公報
【０００４】
【発明が解決しようとする課題】
しかしながら、前記従来例では、各ショーケースの設定温度は集中制御部から出力される設定温度信号によって切替えられるようになっているため、例えば飲料等を冷却する低温運転モード（例えば設定温度５℃）と、弁当類を冷却する中温運転モード（例えば設定温度１８℃）とを切替える場合には、集中制御部で設定温度の変更等のモード切替操作を行わなければならず、運転モードの切替作業が煩雑になるという問題点があった。
【０００５】
また、各ショーケースには、冷却能力の低下等によって庫内が所定の異常温度まで上昇したことを検知すると、所定の警報手段を作動して異常を報知する機能を備えたものもあるが、前記低温運転モードまたは中温運転モード等の冷却運転以外に、ホットプレート等による加熱運転が可能なショーケースの場合、前記異常検知温度は冷却運転用に設定されているため、集中制御部によって加熱運転モードに切替えられると、加熱運転時の通常の庫内温度（例えば６０℃）では冷却運転用の異常検知温度に達し、警報手段が誤動作するという問題点があった。
【０００６】
本発明は前記問題点に鑑みてなされたものであり、その目的とするところは、各ショーケースごとの運転モードの切替えを容易に行うことのできるショーケースの集中制御装置を提供することにある。また、他の目的とするところは、前記目的に加え、加熱運転モードに切替えた場合でも異常温度の警報手段が誤動作を生ずることのないショーケースの集中制御装置を提供することにある。
【０００７】
【課題を解決するための手段】
本発明は前記目的を達成するために、請求項１では、庫内設定温度の異なる複数の運転モードに切替可能な複数のショーケースにそれぞれ設けられ、各運転モードの設定温度に基づいてショーケースの動作を制御する端末制御部と、各ショーケースの端末制御部と通信可能な集中制御部とを備えたショーケースの集中制御装置において、前記各ショーケースにそれぞれ設けられ、ショーケースの運転モードを任意に切替可能なモードスイッチと、各ショーケースにそれぞれ設けられ、ショーケースの運転モードがモードスイッチによって切替られると、切替後の運転モードの信号を集中制御部に出力する運転モード信号出力手段と、集中制御部に設けられ、ショーケースから運転モード信号が出力されると、その運転モードに対して予め設定された設定温度の信号をショーケースに出力する設定温度信号出力手段と、各ショーケースにそれぞれ設けられ、集中制御部から設定温度信号が出力されると、端末制御部の設定温度を集中制御部から出力された設定温度に変更する端末側設定温度変更手段とを備えている。これにより、各ショーケースに設けた運転モード切替用のモードスイッチを操作すると、切替後の運転モード信号が集中制御部に出力されるとともに、集中制御部から運転モードに応じた所定の庫内設定温度の信号が出力され、この設定温度信号に基づいてショーケースの庫内設定温度が変更されることから、各ショーケースのモードスイッチを操作するだけで運転モードの切替えが行われる。
【０００８】
また、請求項２では、請求項１記載のショーケースの集中制御装置において、前記集中制御部に設けられ、各ショーケースの設定温度を各ショーケースごとに任意に変更可能な設定温度変更手段と、集中制御部に設けられ、設定温度変更手段によって任意のショーケースの設定温度が変更されると、変更後の設定温度の信号をそのショーケースに出力する設定温度信号出力手段と、各ショーケースにそれぞれ設けられ、集中制御部から変更後の設定温度信号が出力されると、端末制御部の設定温度を集中制御部から出力された設定温度に変更する端末側設定温度変更手段とを備えている。これにより、請求項１の作用に加え、運転モード切替時に集中制御部からショーケースに出力された設定温度を集中制御部の設定温度変更手段によって各ショーケースごとに任意に変更することが可能となる。
【０００９】
また、請求項３では、請求項１または２記載のショーケースの集中制御装置において、前記ショーケースの少なくとも一台を冷却運転の運転モードと加熱運転の運転モードに切替可能なショーケースによって構成するとともに、ショーケースの庫内温度が所定の冷却運転用異常温度まで上昇したことを検知する異常温度検知手段と、異常温度検知手段によって異常温度になったことが検知されると、モードスイッチが冷却運転モードに切替られているときのみ所定の異常警報手段を作動させる異常警報制御手段とを備えている。これにより、請求項１または２の作用に加え、庫内温度が異常温度になったことが検知されると、運転モードが冷却運転モードに切替られているときのみ異常警報手段が作動することから、運転モードが加熱運転モードに切替えられた場合、加熱運転時の通常の庫内温度が冷却運転用の異常検知温度を超えても異常警報手段が作動することがない。
【００１０】
また、請求項４では、請求項１または２記載のショーケースの集中制御装置において、前記ショーケースの少なくとも一台を冷却運転の運転モードと加熱運転の運転モードに切替可能なショーケースによって構成するとともに、ショーケースの庫内温度が所定の異常温度まで上昇したことを検知する異常温度検知手段と、集中制御部に設けられ、ショーケースから運転モード信号が出力されると、その運転モードごとに設定された異常検知温度の信号をショーケースに出力する異常検知温度信号出力手段と、各ショーケースにそれぞれ設けられ、集中制御部から異常検知温度信号が出力されると、異常温度検知手段の異常検知温度を集中制御部から出力された異常検知温度に変更する異常検知温度変更手段と、異常温度検知手段によって異常温度になったことが検知されると、所定の異常警報手段を作動させる異常警報制御手段とを備えている。これにより、請求項１または２の作用に加え、モードスイッチを操作すると、集中制御部から運転モードに応じた所定の異常検知温度の信号が出力され、この異常検知温度信号に基づいてショーケースの異常検知温度が変更されることから、各ショーケースの運転モードに応じた庫内設定温度の変更のみならず、運転モードに応じた異常検知温度の変更も行われる。
【００１１】
また、請求項５では、請求項１、２、３または４記載のショーケースの集中制御装置において、前記集中制御部に設けられ、各ショーケースの庫内温度及び設定温度をそれぞれ表示する温度表示手段を備えている。これにより、請求項１、２、３または４の作用に加え、集中制御部の表示部に各ショーケースの庫内温度のみならず、それぞれの設定温度も表示されることから、各ショーケースの設定温度を容易に確認することができる。
【００１２】
【発明の実施の形態】
図１乃至図７は本発明の一実施形態を示すもので、図１はショーケースの集中制御装置の概略構成図、図２はモードスイッチの構成図、図３は集中制御部の表示画面を示す正面図、図４及び図６は端末制御部の動作を示すフローチャート、図５及び図７は集中制御部の動作を示すフローチャートである。
【００１３】
本実施形態の集中制御装置は、冷却運転及び加熱運転の可能な複数のショーケース１（以下、冷温ショーケース１という。）と、冷却運転専用の複数のショーケース２（以下、チルドショーケース２という。）とを設置したコンビニエンスストア等の店舗に用いられるものである。尚、図１では各ショーケース１，２をそれぞれ一台ずつ図示したが、本実施形態の集中制御装置は複数台の冷温ショーケース１と複数台のチルドショーケース２に接続されている。
【００１４】
同図に示す集中制御装置は、各冷温ショーケース１にそれぞれ設けられた端末制御部３と、各チルドショーケース２にそれぞれ設けられた端末制御部４と、各ショーケース１，２の端末制御部３，４と通信可能な集中制御部５とを備えている。
【００１５】
各ショーケース１，２は、庫内を冷却する蒸発器６と、庫内温度を検出する庫内温度センサ７と、庫内の異常温度を検知すると点灯する警報ランプ８とを備え、各蒸発器６は各ショーケース１，２とは別体に設置された冷凍機（図示せず）の冷媒回路６ａに接続されている。即ち、各ショーケース１，２は前記冷凍機を共有しており、各蒸発器６の冷媒流入側にそれぞれ設けた電磁弁６ｂを開放することにより、各蒸発器６に低温冷媒を流通するようになっている。また、各冷温ショーケース１は、ホットプレート等からなる加熱器９を備えている。即ち、各冷温ショーケース１の端末制御部３には、蒸発器６の電磁弁６ｂ、庫内温度センサ７、警報ランプ８及び加熱器９が接続され、各チルドショーケース２の端末制御部４には、蒸発器６の電磁弁６ｂ、庫内温度センサ７及び警報ランプ８が接続されている。尚、各ショーケース１，２の本体は図示を省略したが、各ショーケース１，２は、例えば前面を開口したオープンショーケースであり、冷温ショーケース１は棚に加熱器９を備えたものである。
【００１６】
端末制御部３，４はマイクロコンピュータによって構成され、庫内温度センサ７の検出温度が設定温度に近づくように蒸発器６の電磁弁６ｂを開閉することにより、庫内温度を制御するようになっている。また、各冷温ショーケース１の端末制御部３は、飲料等を冷却するチルド（低温）運転モード用の設定温度と、弁当類を冷却する中温運転モード用の設定温度の何れかの設定温度に基づいて電磁弁６ｂを制御するようになっている。尚、各冷温ショーケース１の加熱器９はサーモスタットによって温度調整を行うようになっており、端末制御部３は加熱器９に対してモード切替時のオン・オフのみを行うようになっている。また、各端末制御部３，４には、冷却運転時における庫内温度の高温異常を検知するための所定の異常検知温度が設定されている。
【００１７】
各冷温ショーケース１は、ショーケースの運転モードを任意に切替可能なモードスイッチ１０を備え、モードスイッチ１０は、例えばトグルスイッチによって構成されている。このモードスイッチ１０においては、図２に示すように電源１１に接続された入力側接点１０ａと、入力側接点１０ａに対して設けられた第１乃至第３出力側接点１０ｂ，１０ｃ，１０ｄとをそれぞれ備えた計２つのスイッチング素子からなり、各入力側接点１０ａと各出力側接点１０ｂ，１０ｃ，１０ｄとは互いに同期して接続箇所を切替えるようになっている。また、端末制御部３には、モードスイッチ１０に接続された運転モード判別用の複数の端子、即ち一対の中温検知用端子３ａ，３ｂ及び一対のチルド検知用端子３ｃ，３ｄが設けられている。この場合、一方の中温検知用端子３ａは一方の第２出力側接点１０ｃに接続され、他方の中温検知用端子３ｂは他方の第２出力側接点１０ｃに接続されている。また、一方のチルド検知用端子３ｃは一方の第３出力側接点１０ｄに接続され、他方のチルド検知用端子３ｄは他方の第３出力側接点１０ｄに接続されている。
【００１８】
各冷温ショーケース１の端末制御部３では、各中温検知用端子３ａ，３ｂ間及び各チルド検知用端子３ｃ，３ｄ間の電圧の印加状態によって運転モードを判別するようになっている。この場合、端子間に電圧が印加されていない状態をフラグ「０」、電圧が印加された状態をフラグ「１」として、フラグの組み合わせによって運転モードを判別する。即ち、モードスイッチ１０を「中温」の運転モードに切替えると、各入力側接点１０ａと各第２出力側接点１０ｃとがそれぞれ導通し、各中温検知用端子３ａ，３ｂ間に電源１１の電圧が印加される。これにより、「中温」のフラグが「１」、「チルド」のフラグが「０」となり、このフラグの組み合わせによって運転モードが「中温」であることが判別される。一方、モードスイッチ１０を「チルド」の運転モードに切替えると、各入力側接点１０ａと各第３出力側接点１０ｄとがそれぞれ導通し、各チルド検知用端子３ｃ，３ｄ間に電源１１の電圧が印加される。これにより、「中温」のフラグが「０」、「チルド」のフラグが「１」となり、このフラグの組み合わせによって運転モードが「チルド」であることが判別される。また、モードスイッチ１０を「ホット」の運転モードに切替えると、各入力側接点１０ａと各第１出力側接点１０ｂとがそれぞれ導通するが、各第１出力側接点１０ｂはそれぞれ開放されているため、各中温検知用端子３ａ，３ｂ間及び各チルド検知用端子３ｃ，３ｄ間の何れにも電源１１の電圧は印加されない。これにより、「中温」及び「チルド」のフラグがそれぞれ「０」となり、このフラグの組み合わせによって運転モードが「ホット」（加熱）であることが判別される。
【００１９】
集中制御部５はマイクロコンピュータによって構成され、液晶モニタ等からなる表示部５ａを備えている。表示部５ａは、各ショーケース１，２の番号を表示するショーケース番号表示部５ｂと、各ショーケース１，２の種類を表示するショーケース種類表示部５ｃと、各ショーケース１，２の運転モードを表示するモード表示部５ｄと、各ショーケース１，２の庫内温度を表示する庫内温度表示部５ｅと、各ショーケース１，２の設定温度を表示する設定温度表示部５ｆと、庫内温度と設定温度との温度応差を表示する温度応差表示部５ｇとからなる。即ち、庫内温度表示部５ｅ及び設定温度表示部５ｆは温度表示手段をなす。ショーケース種類表示部５ｃには、冷温ショーケースを示す「Ｈ／Ｃ」またはチルドショーケースを示す「Ｃ」の文字が表示され、モード表示部５ｄには、ホット運転モードを示す「ＨＯＴ」、中温運転モードを示す「中」またはチルド運転モードを示す「チ」の文字が表示されるようになっている。また、設定温度表示部５ｆに表示されている設定値は任意に変更できるようになっている。この場合、画面上のカーソル５ｈを任意のショーケースの設定値に移動し、所定の変更操作によって設定値を増減するようになっている。
【００２０】
以上の構成において、任意の冷温ショーケース１の運転モードを変更したい場合には、その冷温ショーケース１のモードスイッチ１０を操作することにより、端末制御部３及び集中制御部５のプログラムによって運転モードが切替えられる。この場合、端末制御部３のプログラムは、運転モード信号出力手段及び端末側設定温度変更手段を含む。また、集中制御部５のプログラムは設定温度信号出力手段を含む。以下、端末制御部３及び集中制御部５の動作について、図４及び図５のフローチャートを参照して説明する。
【００２１】
まず、端末制御部３においては、図４に示すように、モードスイッチ１０の切替操作が行われると（Ｓ１）、モードスイッチ１０が「チルド」に切替えられた場合は（Ｓ２）、運転モードを「チルド」に設定する（Ｓ３）。また、モードスイッチ１０が「中温」に切替えられた場合は（Ｓ４）、運転モードを「中温」に設定する（Ｓ５）。更に、切替後のモードスイッチ１０が「チルド」及び「中温」の何れでもない場合、即ち「ホット」に切替えられた場合は、運転モードを「ホット」に設定する（Ｓ６）。この後、切替後の運転モード信号を集中制御部５に出力する（Ｓ７）。
【００２２】
集中制御部５では、図５に示すように、冷温ショーケース１から出力された運転モード信号が入力されると（Ｓ８）、運転モード信号が「チルド」の場合は（Ｓ９）、庫内設定温度Ｔｓ  をチルド運転モードの設定温度Ｔｓ１（例えば５℃）に設定する（Ｓ１０）。また、運転モード信号が「中温」の場合は（Ｓ１１）、庫内設定温度Ｔｓ  を中温運転モードの設定温度Ｔｓ２（例えば１８℃）に設定する（Ｓ１２）。この後、新たな設定温度Ｔｓ  の設定温度信号を端末制御部３に出力する（Ｓ１３）。尚、冷温ショーケース１から出力された運転モード信号が「チルド」及び「中温」の何れでもない場合、即ち「ホット」の場合には、設定温度信号の出力は行わずに終了する。
【００２３】
一方、端末制御部３では、図４に示すように、集中制御部５から出力された設定温度信号が入力されると（Ｓ１４）、端末制御部３の庫内設定温度Ｔｓ  を集中制御部５から出力された設定温度に変更する（Ｓ１５）。この場合、チルド運転モードのときは庫内設定温度Ｔｓ  はチルド用の設定温度Ｔｓ１となり、中温運転モードのときは庫内設定温度Ｔｓ  は中温用の設定温度Ｔｓ２となる。この後、運転モードが「ホット」の場合はステップＳ１に戻り（Ｓ１６）、「チルド」または「中温」の場合は異常温度の判定を行った後（Ｓ１７）、ステップＳ１に戻る。即ち、ステップＳ１７において庫内検出温度Ｔが所定の異常検知温度Ｔｅ  以上に上昇したことが検知されると、警報ランプ８を点灯し（Ｓ１８）、ステップＳ１に戻る。
【００２４】
また、集中制御部５から出力される設定温度信号は所定の初期値（例えばチルドモードは５℃、中温モードは１８℃）に設定されているが、集中制御部５から冷温ショーケース１に出力された設定温度は、集中制御部５の表示部５ａにおいて任意の冷温ショーケース１の設定温度をカーソル５ｈで選択し、所定の変更操作をすることにより、端末制御部３及び集中制御部５のプログラムによって任意に変更することができる。この場合、集中制御部５のプログラムは設定温度変更手段及び設定温度信号出力手段を含む。また、端末制御部３のプログラムは、端末側設定温度変更手段を含む。以下、端末制御部３及び集中制御部５の動作について、図６及び図７のフローチャートを参照して説明する。
【００２５】
即ち、集中制御部５の表示部５ａにおいて、設定温度表示部５ｆに表示された設定温度が変更されると（Ｓ１９）、庫内設定温度Ｔｓ  を変更後の設定温度Ｔｓ’に設定し（Ｓ２０）、変更後の設定温度Ｔｓ  の設定温度信号を端末制御部３に出力する（Ｓ２１）。一方、端末制御部３では、集中制御部５から出力された設定温度信号が入力されると（Ｓ２２）、端末制御部３の庫内設定温度Ｔｓ  を集中制御部５から出力された新たな設定温度に変更する（Ｓ２３）。
【００２６】
このように、本実施形態によれば、各冷温ショーケース１に設けた運転モード切替用のモードスイッチ１０を操作すると、切替後の運転モード信号を集中制御部５に出力するとともに、集中制御部５から運転モードに応じた所定の庫内設定温度の信号を出力し、この設定温度信号に基づいて冷温ショーケース１の庫内設定温度を変更するようにしたので、各冷温ショーケース１のモードスイッチ１０を操作するだけで運転モードの切替えを行うことができる。従って、店員等の作業者が集中制御部５まで移動して冷温ショーケース１ごとに設定温度を変更操作するなど、面倒な運転モードの切替作業を行う必要がなく、運転モードの切替えを極めて容易に行うことができる。
【００２７】
この場合、各冷温ショーケース１の設定温度を集中制御部５によって変更可能に構成したので、集中制御部５から冷温ショーケース１に出力された所定の設定温度を任意に変更することができ、各冷温ショーケース１ごとに最適な温度制御を行うことができる。
【００２８】
また、庫内温度が異常温度になったことを検知すると、運転モードが「チルド」または「中温」の冷却運転モードに切替られているときのみ警報ランプ８を点灯させ、ホット運転モードのときは警報ランプ８を点灯させないようにしたので、運転モードが「ホット」に切替えられた場合、ホット運転時の通常の庫内温度（例えば６０℃）が冷却運転用の異常検知温度を超えても警報ランプ８が点灯することがなく、警報ランプ８の誤動作を確実に防止することができる。
【００２９】
更に、集中制御部５の表示部５ａに各冷温ショーケース１の庫内温度のみならず、それぞれの設定温度も表示するようにしたので、各冷温ショーケース１の設定温度を容易に確認することができ、温度管理を各冷温ショーケース１ごとに的確に行うことができる。
【００３０】
図８及び図９は本発明の他の実施形態を示すものであり、図８は端末制御部の動作を示すフローチャート、図９は集中制御部の動作を示すフローチャートである。
【００３１】
本実施形態では、冷却運転用の異常検知温度のみならず、加熱運転用の異常検知温度に基づいて警報ランプ８を点灯させるようにした点で前記実施形態と異なる。
【００３２】
即ち、本実施形態において、任意の冷温ショーケース１の運転モードを変更したい場合には、前記実施形態と同様、その冷温ショーケース１のモードスイッチ１０を操作することにより、端末制御部３及び集中制御部５のプログラムによって運転モードが切替えられる。この場合、端末制御部３のプログラムは、運転モード信号出力手段、設定温度変更手段、異常温度検知手段、異常検知温度変更手段及び異常警報制御手段を含む。また、集中制御部５のプログラムは、設定温度信号出力手段及び異常検知温度信号出力手段を含む。以下、端末制御部３及び集中制御部５の動作について、図８及び図９のフローチャートを参照して説明する。
【００３３】
まず、端末制御部３においては、図８に示すように、モードスイッチ１０の切替操作が行われると（Ｓ３０）、前記実施形態と同様、モードスイッチ１０が「チルド」に切替えられた場合は（Ｓ３１）、運転モードを「チルド」に設定する（Ｓ３２）。また、モードスイッチ１０が「中温」に切替えられた場合は（Ｓ３３）、運転モードを「中温」に設定する（Ｓ３４）。更に、切替後のモードスイッチ１０が「チルド」及び「中温」の何れでもない場合、即ち「ホット」に切替えられた場合は、運転モードを「ホット」に設定する（Ｓ３５）。この後、切替後の運転モード信号を集中制御部５に出力する（Ｓ３６）。
【００３４】
集中制御部５では、図９に示すように、冷温ショーケース１から出力された運転モード信号が入力されると（Ｓ３７）、前記実施形態と同様、運転モード信号が「チルド」の場合は（Ｓ３８）、庫内設定温度Ｔｓ  をチルド運転モードの設定温度Ｔｓ１（例えば５℃）に設定する（Ｓ３９）。また、運転モード信号が「中温」の場合は（Ｓ４０）、庫内設定温度Ｔｓ  を中温運転モードの設定温度Ｔｓ２（例えば１８℃）に設定する（Ｓ４１）。この後、異常検知温度Ｔｅ  を冷却運転用の異常検知温度Ｔｅ１（例えば２５℃）に設定し（Ｓ４２）、前記庫内設定温度Ｔｓ  の信号を端末制御部３に出力するとともに（Ｓ４３）、前記異常検知温度Ｔｅ  の信号を端末制御部３に出力する（Ｓ４４）。また、冷温ショーケース１から出力された運転モード信号が「チルド」及び「中温」の何れでもない場合、即ち「ホット」の場合には、異常検知温度Ｔｅ  を加熱運転用の異常検知温度Ｔｅ２（例えば８０℃）に設定し（Ｓ４５）、異常検知温度Ｔｅ  の信号を端末制御部３に出力する（Ｓ４４）。この場合、庫内設定温度信号の出力は行わずに終了する。
【００３５】
一方、端末制御部３では、図８に示すように、集中制御部５から出力された設定温度信号が入力されると（Ｓ４６）、前記実施形態と同様、端末制御部３の庫内設定温度Ｔｓ  を集中制御部５から出力された設定温度に変更する（Ｓ４７）。この場合、チルド運転モードのときは庫内設定温度Ｔｓ  はチルド用の設定温度Ｔｓ１となり、中温運転モードのときは庫内設定温度Ｔｓ  は中温用の設定温度Ｔｓ２となる。また、集中制御部５から出力された異常検知温度信号が入力されると（Ｓ４８）、端末制御部３の異常検知温度Ｔｅ  を集中制御部５から出力された異常検知温度に変更する（Ｓ４９）。この場合、ホット運転モードでは、集中制御部５から庫内設定温度信号は出力されないため、異常検知温度信号のみが入力される。即ち、チルドまたは中温運転モードのときは冷却運転用の異常検知温度Ｔｅ１となり、ホット運転モードのときは加熱運転用の設定温度Ｔｅ２  となる。この後、運転モードが「チルド」、「中温」、「ホット」の何れの場合も異常温度の判定を行った後（Ｓ５０）、ステップＳ３０に戻る。即ち、ステップＳ５０において庫内検出温度Ｔが異常検知温度Ｔｅ  以上に上昇したことが検知されると、警報ランプ８を点灯し（Ｓ５１）、ステップＳ３０に戻る。この場合、運転モードが「チルド」または「中温」の場合は、冷却運転用の異常検知温度Ｔｅ１に基づいて異常温度の判定が行われ、運転モードが「ホット」の場合は、加熱運転用の異常検知温度Ｔｅ２に基づいて異常温度の判定が行われる。
【００３６】
このように、本実施形態によれば、各冷温ショーケース１に設けた運転モード切替用のモードスイッチ１０を操作すると、切替後の運転モード信号を集中制御部５に出力するとともに、集中制御部５から運転モードに応じた所定の庫内設定温度の信号及び異常検知温度の信号を出力し、これら設定温度信号及び異常検知温度信号に基づいて冷温ショーケース１の庫内設定温度及び異常検知温度を変更するようにしたので、各冷温ショーケース１のモードスイッチ１０を操作するだけで運転モードに応じた庫内設定温度の変更のみならず、運転モードに応じた異常検知温度の変更も行うことができる。従って、チルドまたは中温運転モードにおいては冷却運転用の異常検知温度に基づいて警報ランプ８を点灯させ、ホット運転モードにおいては加熱運転用の異常検知温度に基づいて警報ランプ８を点灯させることができ、運転モードが「チルド」、「中温」及び「ホット」の何れの場合も異常温度の検知を適正に行うことができ、安全性の向上を図ることができる。
【００３７】
【発明の効果】
以上説明したように、請求項１のショーケースの集中制御装置によれば、各ショーケースのモードスイッチを操作するだけで運転モードの切替えを行うことができるので、店員等の作業者が集中制御部まで移動して冷温ショーケースごとに設定温度を変更操作するなど、面倒な運転モードの切替作業を行う必要がないという利点がある。
【００３８】
また、請求項２のショーケースの集中制御装置によれば、請求項１の効果に加え、集中制御部からショーケースに出力された設定温度を任意に変更することができるので、各ショーケースごとに最適な温度制御を行うことができる。
【００３９】
また、請求項３のショーケースの集中制御装置によれば、請求項１または２の効果に加え、運転モードが加熱運転モードに切替えられた場合、加熱運転時の通常の庫内温度が冷却運転用の異常検知温度を超えても異常警報手段が作動することがないので、異常警報手段の誤動作を確実に防止することができる。
【００４０】
また、請求項４のショーケースの集中制御装置によれば、請求項１または２の効果に加え、冷却運転モードにおいては冷却運転用の異常検知温度に基づいて異常警報手段を作動させ、加熱運転モードにおいては加熱運転用の異常検知温度に基づいて異常警報手段を作動させることができるので、冷却運転モード及び加熱運転モードの何れの場合も異常温度の検知を適正に行うことができ、安全性の向上を図ることができる。
【００４１】
また、請求項５のショーケースの集中制御装置によれば、請求項１、２、３または４の効果に加え、各ショーケースの庫内温度のみならず設定温度も容易に確認することができるので、温度管理を各ショーケースごとに的確に行うことができる。
【図面の簡単な説明】
【図１】本発明の一実施形態を示すショーケースの集中制御装置の概略構成図
【図２】モードスイッチの構成図
【図３】集中制御部の表示画面を示す正面図
【図４】端末制御部の動作を示すフローチャート
【図５】集中制御部の動作を示すフローチャート
【図６】端末制御部の動作を示すフローチャート
【図７】集中制御部の動作を示すフローチャート
【図８】本発明の他の実施形態を示す端末制御部の動作を示すフローチャート
【図９】集中制御部の動作を示すフローチャート
【符号の説明】
１…冷温ショーケース、２…チルドショーケース、３，４…端末制御部、５…集中制御部、５ｅ…庫内温度表示部、５ｆ…設定温度表示部、８…警報ランプ、１０…モードスイッチ。
【図１】
2004251565.tif 000003
【図２】
2004251565.tif 000004
【図３】
2004251565.tif 000005
【図４】
2004251565.tif 000006
【図５】
2004251565.tif 000007
【図６】
2004251565.tif 000008
【図７】
2004251565.tif 000009
【図８】
2004251565.tif 000010
【図９】
2004251565.tif 000011